(57)【特許請求の範囲】
【請求項１】
釣具を、上下方向に釣糸挿通孔が形成された上側分割体と下側分割体とで構成し、いずれか一方の分割体の釣糸挿通孔に、可撓性を有する材料からなる管部材の一端側を取り付け、
前記釣糸挿通孔と管部材に挿通した釣糸に沿った下側分割体への上側分割体の取付操作に伴い、一方の前記分割体から突出する管部材を対向方向から挟持する一対の挟持部材を、いずれか一方の前記分割体に設けたことを特徴とする釣具の釣糸保持構造。
【請求項２】
一対の前記挟持部材は、釣糸の挟持方向に突出し、前記管部材の外側を覆う遮断片を有していることを特徴とする請求項１に記載の釣具の釣糸保持構造。
【発明の詳細な説明】
【技術分野】
【０００１】
本発明は、釣糸に浮きや錘等の釣具を容易且つ確実に取り付けることができる釣具の釣糸保持構造に関する。
【背景技術】
【０００２】
従来から、釣糸に浮きや錘等の釣具を取り付けるために様々な手段が用いられており、特許文献１には、釣糸の強度低下や糸撚れを起こすことなく、釣糸に釣具を容易に取り付けることができる釣具の釣糸保持構造が提案されている。
【０００３】
この従来例は、釣具を上側分割体と下側分割体とで構成し、上側分割体に嵌合凸部を設け、下側分割体に該嵌合凸部が嵌合可能な嵌合凹部を設けて、両分割体の中心に釣糸挿通孔を上下方向に設けると共に、該釣糸挿通孔に挿通した釣糸に沿った嵌合凹部への嵌合凸部の押し込み操作で釣糸を挟持する挟持体を上側分割体に設けたもので、該挟持体は、上側分割体の底部に取り付く左右対称な一対のステー状のアーム部で構成されている。
【０００４】
そして、既述したように前記嵌合凹部への嵌合凸部の押し込み操作に伴い、両アーム部が内方へ弾性変形して釣糸を左右方向から挟持することで、釣具が釣糸に取り付くようになっている。
【特許文献１】特開２００７−５３９４１号公報
【発明の開示】
【発明が解決しようとする課題】
【０００５】
しかし乍ら、前記従来例は、左右一対のステー状のアーム部で釣糸を左右方向から挟持して釣具を釣糸に固着する構造上、実釣時に釣具が踊ると、左右方向から挟持していたアーム部から釣糸がずれて釣具が釣糸に保持されずに動いてしまう虞があった。
【０００６】
また、前記特許文献１には、前記アーム部からなる挟持体に代え、柔軟で可撓性を有するゴムや合成樹脂で形成され、中心に釣糸挿通孔が上下方向に形成された筒状の挟持体を用いた実施形態が開示されている。
【０００７】
而して、この従来例にあっては釣糸のずれの問題は発生しないものの、斯様に筒状の挟持体で釣糸を全周から挟持すると、前記アーム部を用いた場合に比し釣糸に対する挟持力が分散されてしまうため、同様に釣具が釣糸の取付位置から動いてしまう虞があった。
【０００８】
本発明は斯かる実情に鑑み案出されたもので、釣糸に浮きや錘等の釣具を容易に、且つ釣具が釣糸の取付位置から滑ってしまうことなく確実に取り付けることができる釣具の釣糸保持構造を提供することを目的とする。
【課題を解決するための手段】
【０００９】
斯かる目的を達成するため、請求項１に係る釣具の釣糸保持構造は、釣具を、上下方向に釣糸挿通孔が形成された上側分割体と下側分割体とで構成し、いずれか一方の分割体の釣糸挿通孔に、可撓性を有する材料からなる管部材の一端側を取り付け、前記釣糸挿通孔と管部材に挿通した釣糸に沿った下側分割体への上側分割体の取付操作に伴い、一方の前記分割体から突出する管部材を対向方向から挟持する一対の挟持部材を、いずれか一方の前記分割体に設けたことを特徴とする。
【００１０】
そして、請求項２に係る発明は、請求項１に記載の釣具の釣糸保持構造に於て、一対の前記挟持部材は、釣糸の挟持方向に突出し、前記管部材の外側を覆う遮断片を有していることを特徴とする。
【発明の効果】
【００１１】
請求項１に係る発明によれば、釣具の内部に管部材を設け、下側分割体への上側分割体の取付操作に伴い、釣糸が挿通する前記管部材を対向方向から一対の挟持部材で挟持するように構成したので、実釣時に釣具が踊っても挟持部材から釣糸がずれてしまうことがなく、また、対向方向から挟持する一対の挟持部材で管部材を挟持する構造上、釣糸に対する挟持力が分散されることがないため、挟持片の挟持力で管部材が確実に変形して釣糸を強固に挟持し、因って、釣糸に浮きが確実に固着される利点を有する。
【００１２】
そして、請求項２に係る発明によれば、遮断片が管部材の外側を夫々反対側から覆って、管部材が挟持部材の対向位置からずれてしまうことを防止すると共に、釣糸に対する挟持部材の挟持状態を解除したときも、遮断片は管部材の外側を覆って管部材の移動を規制するため、挟持部材による管部材の確実な挟持が可能となる利点を有する。
【発明を実施するための最良の形態】
【００１３】
以下、本発明の実施形態を図面に基づいて詳細に説明する。
【００１４】
図１乃至図５は請求項１及び請求項２に係る発明の第一実施形態を示し、特許文献１の従来例と同様、本実施形態は「水中浮き」と呼ばれる水に沈むタイプの浮きに本発明を適用したもので、図１及び図２に示すように略卵形形状に形成された浮き１は、取り付ける釣糸３の長手方向に於て上下に分割された透光性を有する合成樹脂製の上側分割体５と下側分割体７とで構成され、上側分割体５と下側分割体７の中央の上下方向に、夫々、釣糸挿通孔９，１１が同軸上に設けられている。
【００１５】
そして、上側分割体５の底部中央に突設した円筒状の凸部１３の外周に雄ネジ部１５が螺刻されている。一方、下側分割体７は内部に空間部１７が形成されて上部が開口し、その開口周縁部内周に雌ネジ部１９が螺刻されており、図４に示すように前記凸部１３を空間部１７内に挿入し乍ら雄ネジ部１５を雌ネジ部１９に螺着して、図２の如く上側分割体５が下側分割体７に着脱自在に接合されている。
【００１６】
また、図２及び図４に示すように前記釣糸挿通孔９は凸部１３側に大径部２１が形成されて、該大径部２１が凸部１３の中央に開口しているが、該大径部２１内に、ゴムや合成樹脂等の可撓性を有する材料で形成された管部材２３の上端側（一端側）が挿着されており、上側分割体５の上方から釣糸挿通孔９内に挿入した釣糸３が、該管部材２３内を挿通するようになっている。そして、前記管部材２３の下端側（他端側）は、前記凸部１３の中央に開口する大径部２１から下方（下側分割体７方向）に突出している。
【００１７】
尚、管部材２３は、後述する挟持片３３よりも柔軟で潰れ易く摩擦力の高い材料で形成され、挟持片３３の挟持力で確実に変形して釣糸３を挟持できるようになっている。
【００１８】
そして、図２及び図４に示すように上側分割体５の凸部１３に、前記管部材２３を対向方向から挟持する左右一対の合成樹脂製の挟持部材２５が取り付けられている。
【００１９】
挟持部材２５は、前記大径部２１を挟んで凸部１３に設けられた取付孔２７内に固着された基部２９と、該基部２９から上側分割体５の下方に向かって斜め外方に延設された変形可能なステー状の首部３１と、該首部３１の先端に形成されたブロック状の挟持片３３とからなり、図４に示すように左右一対の首部３１と挟持片３３は恰もハンマー形状の如き外観を呈し、そして、首部３１の弾性力によって左右の挟持片３３は管部材２３を挟んで所定の間隔を空けて対向配置されている。
【００２０】
一方、既述したように下側分割体７は、図４に示すように内部に空間部１７が形成されて上部が開口し、その下部中央に前記釣糸挿通孔１１が上下方向に設けられている。
【００２１】
そして、下側分割体７の内周は、前記雌ネジ部１９が形成された同一内径からなる筒状部３５と、該筒状部３５と段部３７を介して下側分割体７の下方へ断面円弧状に順次縮径する縮径部３９とで形成されている。
【００２２】
既述したように首部３１の弾性力によって左右の挟持片３３は管部材２３を挟んで所定の間隔を空けて対向配置されているが、図４に示すように上側分割体５の上方から釣糸挿通孔９，管部材２３と下側分割体７の釣糸挿通孔１１に釣糸３を挿通させた後、前記凸部１３を空間部１７内に挿入し乍ら雄ネジ部１５を雌ネジ部１９に螺着させると、管部材２３を挟んで対向配置している左右一対の挟持片３３が、前記縮径部３９に当接するようになっている。
【００２３】
そして、上側分割体５を下側分割体７にねじ込んでいくに従い、左右の首部３１が内方へ変形して左右の挟持片３３が管部材２３方向へ移動し、図２の如く上側分割体５が下側分割体７に完全に螺着すると、内方へ移動した挟持片３３の対向面４１が管部材２３を左右方向から強固に挟持する。
【００２４】
而して、斯様に挟持片３３の対向面４１が管部材２３を左右方向から挟持すると、管部材２３が変形して釣糸３を挟持するため、釣糸３に浮き１が固着されるようになっている。尚、挟持面４１には凹凸４３が形成されており、該凹凸４３が管部材２３に食い込んで管部材２３を確実に挟持できるようになっている。
【００２５】
そして、釣場の状況に応じ釣糸３への浮き１の取付位置を変更するには、上側分割体５と下側分割体７との螺合を緩めればよく、斯様に螺合を緩めると、首部３１の復元力で管部材２３を挟持する左右の挟持片３３が外方へ互いに離間するため、管部材２３を介しての釣糸３に対する挟持状態が解除され、管部材２３は自然状態に戻ってその弾性力で管形状に戻るようになっている。
【００２６】
更に、図２乃至図４に示すように左右一対の前記挟持片３３には、釣糸３の挟持方向に突出するプレート状の遮断片４５が設けられており、両遮断片４５は、前記管部材２３の外側を夫々反対側から覆って、管部材２３が挟持片３３の対向位置からずれてしまうことを防止している。また、該遮断片４５は、挟持片３３による管部材２３の挟持が解除された状態でも、管部材２３の外側を覆って対向方向に配されるようになっている。
【００２７】
その他、図中、４７は前記基部に設けたケミカルライト（化学発光体）の取付孔（ホルダー）で、既述したように浮き１は透光性を有する材料で形成されており、前記該取付孔４７にケミカルライトを挿着して夜釣りに浮き１を使用できるようになっている。
【００２８】
本実施形態に係る浮き１はこのように構成されているから、釣糸３に浮き１を取り付けるには、先ず、上側分割体５と下側分割体７を分割するか、図４の如く上側分割体５と下側分割体７との螺着を緩めて挟持片３３の間に間隙ができた状態で、上側分割体５の上方から釣糸挿通孔９，管部材２３と下側分割体７の釣糸挿通孔１１に釣糸３を挿通させる。
【００２９】
次いで、この状態で釣糸３に沿って上側分割体５の凸部１３を空間部１７内に挿入し乍ら雄ネジ部１５を雌ネジ部１９に螺着させれば、管部材２３を挟んで対向配置している左右一対の挟持片３３が前記縮径部３９に当接する。そして、上側分割体５を下側分割体７にねじ込んでいくに従い、左右の首部３１が内方へ変形して左右の挟持片３３が管部材２３方向へ移動し、図２の如く上側分割体５が下側分割体７に完全に螺着すると、内方へ移動した挟持片３３の対向面４１が管部材２３に食い込んで左右方向から該管部材２３を強固に挟持する。このとき、前記遮断片４５が管部材２３の外側を夫々反対側から覆って、管部材２３が挟持片３３の対向位置からずれてしまうことを防止する。
【００３０】
そして、斯様に挟持片３３の対向面４１が管部材２３を左右方向から強固に挟持すると、管部材２３が変形して釣糸３を挟持するが、既述したように管部材２３は挟持片３３よりも柔軟で潰れ易く摩擦力の高い材料で形成されているため、挟持片３３の挟持力で確実に変形して釣糸３を強固に挟持し、この結果、釣糸３に浮き１が確実に固着されることとなる。
【００３１】
また、釣場の状況に応じ釣糸３への浮き１の取付位置を変更するには、上側分割体５と下側分割体７との螺合を緩めればよく、斯様に螺合を緩めると、首部３１の復元力で管部材２３を挟持する左右の挟持片３３が外方へ互いに離間するため、管部材２３を介しての釣糸３に対する挟持状態が解除され、管部材２３は自然状態に戻ってその弾性力で管形状に戻ることとなる。そして、このときも前記遮断片４５は管部材２３の外側を覆って管部材２３の移動を規制し、次に予定される挟持片３３による管部材２３の確実な挟持への補助を行うこととなる。
【００３２】
このように、本実施形態は浮き１の内部に管部材２３を設け、下側分割体７への上側分割体５の取付操作に伴い、釣糸３が挿通する前記管部材２３を対向方向から一対の挟持片３３で挟持するように構成したので、特許文献１の従来例と異なり、実釣時に浮き１が踊っても挟持片３３から釣糸３がずれてしまうことがなく、また、対向方向から挟持する一対の挟持片３３で管部材２３を挟持する構造上、特許文献１に開示された筒状の挟持体の如く釣糸に対する挟持力が分散されることがないため、挟持片３３の挟持力で管部材２３が確実に変形して釣糸３を強固に挟持し、釣糸３に浮き１が確実に固着される利点を有する。
【００３３】
而も、前記遮断片４５が管部材２３の外側を夫々反対側から覆って、管部材２３が挟持片３３の対向位置からずれてしまうことを防止すると共に、釣糸３に対する挟持片３３の挟持状態を解除したときも、遮断片４５は管部材２３の外側を覆って管部材２３の移動を規制するため、挟持片３３による管部材２３の確実な挟持が可能となる利点を有する。
【００３４】
尚、前記実施形態は、釣糸３に対し上側分割体５を上側とし、下側分割体７を下側になるように浮き１を取り付けたが、浮き１の上下を逆さにして上側分割体５を下側とし、下側分割体７を上側にして取り付けることも可能であり、更に挟持部材２５や管部材２３を下側分割体７に取り付けることもできる。
【００３５】
図６は請求項１及び請求項２に係る発明を適用した浮きの第二実施形態を示し、本実施形態に係る浮き１-1は、下側分割体７-1の釣糸挿通孔１１に大径部２１を形成し、該大径部２１に、上側分割体５-1方向へ突出する管部材２３の下端側（一端側）を取り付けて、該管部材２３の上端側（他端側）を上側分割体５-1に設けた挟持部材２５で挟持するように構成したもので、その他の構成は前記第一実施形態と同様であるため、同一のものには同一符号を付してそれらの説明は省略する。
【００３６】
而して、本実施形態によっても、釣糸３に浮き１-1を確実に固着させることが可能である。
【００３７】
尚、既述した各実施形態は、請求項１及び請求項２に係る釣具の釣糸保持構造を水中浮きに適用したものであるが、本発明は錘やその他釣糸に取り付けて使用する釣具にも適用することが可能である。
【図面の簡単な説明】
【００３８】
【図１】請求項１及び請求項２に係る発明を適用した浮きの第一実施形態の全体斜視図である。
【図２】釣糸に取り付ける際の浮きの縦断面図である。
【図３】図２のIII−III線断面図である。
【図４】釣糸に取り付く浮きの縦断面図である。
【図５】図４のV−V線断面図である。
【図６】請求項１及び請求項２に係る発明を適用した浮きの第二実施形態の縦断面図である。
【符号の説明】
【００３９】
１，１-1  浮き
３  釣糸
５，５-1  上側分割体
７，７-1  下側分割体
９，１１  釣糸挿通孔
１３  凸部
１５  雄ネジ部
１７  空間部
１９  雌ネジ部
２１  大径部
２３  管部材
２５  挟持部材
２９  基部
３１  首部
３３  挟持片
３９  縮径部
４１  対向面
４３  凹凸
４５  遮断片
【図１】
0004782765.tif 000002
【図２】
0004782765.tif 000003
【図３】
0004782765.tif 000004
【図４】
0004782765.tif 000005
【図５】
0004782765.tif 000006
【図６】
0004782765.tif 000007